(57)【要約】      （修正有）【課題】軽量で安価に提供可能であり、確実に装着可能で装着後にずれたりする心配がなく、眼帯と顔面との間に隙間が生じず、更に装着感も良好な保護眼帯を提供する。【解決手段】非金属材料で立体形成された眼帯本体において、複数の通気孔２を設けた立体眼覆部３と、段階調整が可能な耳紐通し孔４と耳紐ガイド溝５とを設けた周縁部６と、眼窩周辺の顔形状に密着して沿う湾曲状の外周部とを一体的に形成する。【選択図】図１
0003222530.tif 000002
【実用新案登録請求の範囲】
【請求項１】
非金属材料で立体形成された眼帯本体において、複数の通気孔を設けた立体眼覆部と、段階調整が可能な耳紐通し孔と耳紐ガイド溝とを設けた周縁部と、眼窩周辺の顔形状に密着して沿う湾曲状の外周部とが一体的に形成されていることを特徴とする保護眼帯。
【請求項２】
前記眼帯本体凹側に吸湿性パッドが添着されている請求項１記載の眼帯。
【考案の詳細な説明】
【技術分野】
【０００１】本考案は、眼帯に関するものである。
【背景技術】
【０００２】従来、眼の治療後に外的な衝撃から眼を保護する目的で眼帯が用いられている。例えば実開昭６２−９７６２６号公報の従来例に提示されているような眼帯が用いられている。【０００３】前記公報に提示されている眼帯は、硬質性のある板状の保護眼帯の内面にガーゼのような術後の分泌液などを吸収するための吸湿性パッドを眼帯凹側に収容した状態で使用するものである。【０００４】そして、前記眼帯を構成する保護眼帯は、図５に示すとおり、左右対称の略逆三角形に形成され、眼覆部に形成された孔に紐を通す、あるいは絆創膏や包帯などを用いて顔面に固定するものであった。【０００５】しかし、前記保護眼帯では、外周部と眼窩周辺との接触面積が少なく、安定した状態で装着することが困難であり、睡眠時などに装着位置がずれたり、外れたりする心配がある。装着位置がずれた際に、角部が治療後の眼に当たって傷を付ける恐れもある。【０００６】
【特許文献１】実開昭６２−９７６２６号公報
【０００７】また、例えば特開２００５−２６１６３４号公報に実施例提示されているような柔軟で薄板状の眼帯も用いられている。【０００８】日常、眼患者は眼に痒みを感じた場合や無意識の内に指で眼帯を押さえる傾向があることから、これらの場合、図６に示すとおり、前記公報に提示されている柔軟で薄板状の眼帯構造では、指による押圧が眼に伝わって悪影響を与えやすく、また、眼窩周辺の顔面は複雑な凹凸状であるため、上記眼帯と顔面との間に隙間が生じ、該部から微塵等が侵入しやすい上、眼患者の動作やその態位によっては外れやすい等の問題点が見られる。
【特許文献２】特開２００５−２６１６３４号公報
【考案の概要】
【考案が解決しようとする課題】
【０００９】本考案が解決しようとする課題は、軽量で安価に提供可能であり、確実に装着可能で装着後にずれたりする心配がなく、眼帯と顔面との間に隙間が生じず、更に装着感も良好な保護眼帯を提供することである。
【課題を解決するための手段】
【００１０】この考案は、非金属材料で立体形成された眼帯本体において、複数の通気孔を設けた立体眼覆部と、段階調整が可能な耳紐通し孔と耳紐ガイド溝とを設けた周縁部と、眼窩周辺の顔形状に密着して沿う湾曲状の外周部とが一体的に形成したことによって、前記課題を解決したものである。
【考案の効果】
【００１１】本考案は、眼覆部が立体形成されていることで、指や物体等が眼帯に接触した場合、その衝撃等が立体形状によって阻止されて眼に伝わらないという作用を奏する一方で、眼帯外周部は可塑性を有しているので、装着者の顔面に合わせて適宜湾曲度合いを調整でき、眼窩周辺の顔形状にぴったりと当接させることができるので、顔面に接する面積が拡大して安定した状態で支持される。【００１２】また、眼帯周縁部の耳紐通し孔と耳紐ガイド溝とを設けたことにより、紐の段階調整が可能となり、眼窩周辺の複雑な凹凸状と眼帯とを密着させることができる。さらに、前記の立体眼覆部および外周部の形状とも相俟ってきわめて安定した状態で固定することができる。【００１３】本考案品を形成する材料は、使い捨てができるという意味から、安価かつ硬質性の非金属材料を使用することが望ましい。また、立体眼覆部には、通気性を良くするための複数の通気孔を設けており、眼帯本体凹側には吸湿性パッドを添着することができ、分泌液が該パッド中に吸収されるので、眼患者の不快感を軽減することができる。
【図面の簡単な説明】
【００１４】
【図１】本考案の代表的な実施例を示す正面図
【図２】本考案の代表的な実施例を示す左側図
【図３】本考案の代表的な実施例を示す右側図
【図４】本考案の代表的な実施例を示す上面図
【図５】本考案の代表的な実施例を示す斜視図
【図６】本考案の眼帯本体に紐を取り付けた状況図
【図７】本考案の眼帯の着用状況図
【図８】実開昭６２−９７６２６号公報の保護眼帯を示す図
【図９】特開２００５−２６１６３４号公報の保護眼帯を示す図
【考案を実施するための形態】
【００１５】以下、本考案の実施の形態について図面を参照し説明する。
図１から図５は、本考案についての好ましい実施形態を示すものであり、保護眼帯１は、例えば、透明性、可塑性を有するとともに安価に提供可能な非金属材料で形成され、通気性を良くするためや、治療後の視力回復訓練のための複数の通気孔２を設けた立体眼覆部３と、耳紐の段階調整が可能な耳紐通し孔４と耳紐ガイド溝５とを設けた周縁部６と、眼窩周辺の顔形状に密着して沿う湾曲状の外周部７を有しており、立体形成されている。
【実施例】
【００１６】図１から図５は本考案の代表的な実施例を示す眼帯の図である。図示した保護眼帯１の正面形状は略卵形状であるが、該保護眼帯の形状は限定されず、その他多角形状や楕円形状等でも構わない。【００１７】図６は本考案の代表的な実施例を示す眼帯本体に紐を取り付けた状況図である。なお、眼帯を固定する手段としては、紐を頭部に巻き付けて保持しても良いし、あるいは眼帯周縁を頬や額に絆創膏や包帯、粘着テープ等で保持しても良い。図７は本考案の代表的な実施例を示す眼帯の着用状況図である。【００１８】保護眼帯１の材料は、ポリカーボネートや塩化ビニル、ポリエチレン、ポリプロピレンあるいはアクリル樹脂等の合成樹脂材、熱可塑性エラストマーまたはラテックス含浸紙等の合成紙や不織布等の非金属材料によって形成される。一般的な人の眼窩周辺の大きさを考慮すると、例えば、保護眼帯１は、幅６０ｍｍ以上８０ｍｍ以下、高さ５０ｍｍ以上６５ｍｍ以下、厚み０．５ｍｍ以上３．０ｍｍ以下であることが好ましい。【００１９】保護眼帯１の中央部には隆起した立体眼覆部３を形成し、該立体眼覆部３の裏側には凹部が形成される。この凹部には、その全面または中央部の一部に、吸湿性パッドを添着することができる。その際、粘着剤等を使用する必要はない。【００２０】保護眼帯１の周縁部６には、実施例においては上下に３か所の正円、左右に２か所の長円の耳紐通し孔４を形成することで、装着者の顔面に合わせて、適宜孔を選択すればよく、耳紐を段階的に調整することができる。また、耳紐ガイド溝５を形成することで、耳紐を沿わすことができ、眼帯の位置ずれ防止に大きな効果が得られる。なお、耳紐通し孔の数は限定されるものではない。また、眼帯を固定する手段としては、紐を頭部に巻き付けて保持しても良いし、あるいは眼帯周縁を頬や額に絆創膏や包帯、粘着テープ等で保持しても良い。【００２１】保護眼帯１の外周部７は、予め大きく湾曲しているので、肌への接触圧を感じさせることなく、ソフトで良好な装着感が得られる。【００２２】なお、代表的な実施例は、立体眼覆部が大きく膨らみ、正面が平板状を呈しているのでデザインとしても優れており、立体形成されていることから強度的に弱い部分がなく、安定した構造となっている。そのため、簡単に装着することができ、さらに顔面に傷を付ける心配もない。
【符号の説明】
【００２３】１保護眼帯
２通気孔
３立体眼覆部
４耳紐通し孔
５耳紐ガイド溝
６周縁部
７外周部
【図１】
0003222530.tif 000003
【図２】
0003222530.tif 000004
【図３】
0003222530.tif 000005
【図４】
0003222530.tif 000006
【図５】
0003222530.tif 000007
【図６】
0003222530.tif 000008
【図７】
0003222530.tif 000009
【図８】
0003222530.tif 000010
【図９】
0003222530.tif 000011